(57)【要約】【課題】複数人が同時に酸素を吸入することが可能な酸素供給器および酸素供給用ユニットを提供する。【解決手段】酸素供給器１は、酸素ガスを高圧状態で収容する酸素ボンベ１０と、酸素ボンベ１０から吐出された酸素ガスを減圧させる減圧弁Ｖと、減圧弁Ｖから流出した酸素ガスを複数の流路に分岐させる分岐具２０とを備える。【選択図】図２
2020000278.tif 000002
【特許請求の範囲】
【請求項１】
酸素ガスを高圧状態で収容する酸素ボンベと、
前記酸素ボンベから吐出された酸素ガスを減圧させる減圧弁と、
前記減圧弁から流出した酸素ガスを複数の流路に分岐させる分岐具とを備える、酸素供給器。
【請求項２】
前記酸素ボンベおよび前記分岐具を搭載可能で、かつ、前記酸素ボンベおよび前記分岐具を搭載した状態で移動可能な移動部をさらに備える、請求項１に記載の酸素供給器。
【請求項３】
前記移動部は、台車であり、
前記台車は、前記酸素ボンベを下方から支持する台板を有し、
前記酸素ボンベは、一方向に長い形状を有し、前記酸素ボンベの長手方向の一端に、前記酸素ガスを吐出するための吐出口が設けられており、
前記減圧弁は、前記吐出口に接続されており、
前記台板は、前記吐出口が上部に位置する姿勢で前記酸素ボンベを支持しており、
前記分岐具は、前記台板に設置されている、請求項２に記載の酸素供給器。
【請求項４】
それぞれが鼻および口を覆う形状を有する複数のマスクと、
各前記マスクと前記分岐具とを接続する複数のチューブとをさらに備え、
前記分岐具は、前記減圧弁に接続される上流側ポートと、前記上流側ポートから流入した酸素ガスを吐出するための複数の下流側ポートとを含み、
各前記チューブは、各前記下流側ポートに対して着脱可能に接続される、請求項１から３のいずれか１項に記載の酸素供給器。
【請求項５】
各前記マスクは、前記マスクが使用者の顔面に宛がわれた状態において、前記使用者の呼吸量に応じた分だけ前記酸素ボンベ内の酸素ガスが前記マスク内に供給されるように構成されている、請求項４に記載の酸素供給器。
【請求項６】
各前記マスクは、押圧可能な押しボタンを有し、前記押しボタンが押圧されている間に前記酸素ボンベ内の酸素ガスが前記マスク内に供給され、前記押しボタンの押圧が解除されたときに前記酸素ボンベ内の酸素ガスの前記マスク内への供給が遮断されるように構成されている、請求項４または５に記載の酸素供給器。
【請求項７】
酸素ガスを高圧状態で収容する酸素ボンベを搭載可能で、かつ、前記酸素ボンベを搭載した状態で移動可能な台車と、
前記台車に設置され、前記酸素ボンベから吐出された酸素ガスを複数の流路に分岐させる分岐具とを備える、酸素供給用ユニット。
【発明の詳細な説明】
【技術分野】
【０００１】
この発明は、酸素供給器に関する。
【背景技術】
【０００２】
たとえば、特開２００７−２３６８１４号公報（以下、「特許文献１」という。）には、ボンベと、減圧弁と、面体と、流路形成管とを備える呼吸器が開示されている。ボンベは、酸素を含む気体を大気圧よりも高い圧力で収容する。減圧弁は、ボンベから吐出された気体を減圧する。面体は、使用者の鼻および口を覆うマスクからなる。流路形成管は、減圧弁と面体とを接続している。
【先行技術文献】
【特許文献】
【０００３】
【特許文献１】特開２００７−２３６８１４号公報
【発明の概要】
【発明が解決しようとする課題】
【０００４】
激しい運動の後など、疲労回復を目的に高濃度の酸素を吸入することがある。たとえば、複数人で行われるスポーツの後、複数人で同時に酸素を吸入したいというニーズがある。しかしながら、特許文献１に記載される呼吸器では、複数人で同時に酸素を吸入することができない。
【０００５】
本発明の目的は、複数人が同時に酸素を吸入することが可能な酸素供給器および酸素供給用ユニットを提供することである。
【課題を解決するための手段】
【０００６】
この発明に従った酸素供給器は、酸素ガスを高圧状態で収容する酸素ボンベと、酸素ボンベから吐出された酸素ガスを減圧させる減圧弁と、減圧弁から流出した酸素ガスを複数の流路に分岐させる分岐具とを備える。なお、高圧状態とは、１ＭＰａ以上の圧力状態をいう。
【０００７】
本酸素供給器では、酸素ボンベから吐出され、減圧弁により減圧された酸素ガスが、分岐具によって複数の流路に分岐されて供給されるため、複数人が同時に酸素を吸入することが可能となる。
【０００８】
また好ましくは、上述の酸素供給器は、酸素ボンベおよび分岐具を搭載可能で、かつ、酸素ボンベおよび分岐具を搭載した状態で移動可能な移動部をさらに備える。
【０００９】
このようにすれば、酸素ボンベを容易に移動させることが可能となるため、酸素供給器の利便性を向上させることができる。
【００１０】
また好ましくは、移動部は、台車である。台車は、酸素ボンベを下方から支持する台板を有する。酸素ボンベは、一方向に長い形状を有し、酸素ボンベの長手方向の一端に、酸素ガスを吐出するための吐出口が設けられている。減圧弁は、吐出口に接続されている。台板は、吐出口が上部に位置する姿勢で酸素ボンベを支持している。分岐具は、台板に設置されている。
【００１１】
この態様では、酸素ボンベの吐出口が当該酸素ボンベの上部に位置するため、減圧弁の操作等が容易となり、かつ、分岐具が台板に設置されることによって酸素供給器の重心の位置が高くなることが抑制されるため、台車の転倒が抑制される。
【００１２】
また好ましくは、上述の酸素供給器は、それぞれが鼻および口を覆う形状を有する複数のマスクと、各マスクと分岐具とを接続する複数のチューブとをさらに備える。分岐具は、減圧弁に接続される上流側ポートと、上流側ポートから流入した酸素ガスを吐出するための複数の下流側ポートとを含む。各チューブは、各下流側ポートに対して着脱可能に接続される。
【００１３】
このようにすれば、マスクおよびチューブを必要に応じて下流側ポートに接続することができるため、酸素ガスを同時に吸入する人数を容易に変更することが可能となる。
【００１４】
また好ましくは、各マスクは、マスクが使用者の顔面に宛がわれた状態において、使用者の呼吸量に応じた分だけ酸素ボンベ内の酸素ガスがマスク内に供給されるように構成されている。
【００１５】
このようにすれば、使用者の呼吸量に応じた分（使用者が吸入した分）だけマスク内に酸素ガスが供給されるため、酸素ボンベ内の酸素ガスを余分に消費することを抑制できる。
【００１６】
また好ましくは、各マスクは、押圧可能な押しボタンを有し、押しボタンが押圧されている間に酸素ボンベ内の酸素ガスがマスク内に供給され、押しボタンの押圧が解除されたときに酸素ボンベ内の酸素ガスのマスク内への供給が遮断されるように構成されている。
【００１７】
このようにすれば、従来の小型のスプレータイプ（プッシュ部を押圧している間だけスプレー容器から酸素ガスが噴出されるタイプ）の酸素吸引器の使用法とほぼ同じ操作でマスク内に酸素ガスを供給することができる。このため、使用者がほとんど違和感を感じることなく使用することができる。
【００１８】
この発明に従った酸素供給用ユニットは、酸素ガスを高圧状態で収容する酸素ボンベを搭載可能で、かつ、酸素ボンベを搭載した状態で移動可能な台車と、台車に設置され、酸素ボンベから吐出された酸素ガスを複数の流路に分岐させる分岐具とを備える。
【００１９】
この酸素供給用ユニットでは、台車に酸素ボンベを搭載するとともに、分岐具に複数のマスクを接続することにより、複数人で同時に酸素ボンベ内の酸素を吸入することが可能となる。
【発明の効果】
【００２０】
以上に説明したように、この発明によれば、複数人が同時に酸素を吸入することが可能な酸素供給器および酸素供給用ユニットを提供することができる。
【図面の簡単な説明】
【００２１】
【図１】本発明の一実施形態の酸素供給器の全体構成を概略的に示す斜視図である。
【図２】図１に示される酸素供給器の別角度における斜視図である。
【図３】分岐具の断面図である。
【図４】押しボタンが押されていない状態におけるマスクの断面図である。
【図５】押しボタンが押された状態におけるマスクの断面図である。
【図６】図５中の２点鎖線ＶＩで囲まれた範囲の拡大図である。
【発明を実施するための形態】
【００２２】
この発明の実施形態について、図面を参照して説明する。なお、以下で参照する図面では、同一またはそれに相当する部材には、同じ番号が付されている。
【００２３】
図１は、本発明の一実施形態の酸素供給器の全体構成を概略的に示す斜視図である。図２は、図１に示される酸素供給器の別角度における斜視図である。図１および図２に示されるように、酸素供給器１は、複数人に対して同時に酸素を供給することを可能にするものである。酸素供給器１は、酸素ボンベ１０と、減圧弁Ｖと、分岐具２０と、中間チューブ３０と、複数のチューブ３１，３２と、複数のマスク４０と、移動部５０とを有する。
【００２４】
酸素ボンベ１０は、酸素ガスを高圧状態（１ＭＰａ以上）で収容する。酸素ボンベ１０は、容器本体１２と、吐出口１４とを有する。
【００２５】
容器本体１２は、一方向に長い形状を有する。容器本体１２は、円筒形状の容器からなり、その軸方向に長い長尺形状を有する。容器本体１２の内容積は、たとえば４Ｌ〜１０Ｌである。容器本体１２は、耐圧容器である。容器本体１２に、酸素ガスが、たとえば１０ＭＰａ〜３０ＭＰａの状態で充填される。容器本体１２には、酸素ガスを再充填することが可能である。
【００２６】
吐出口１４は、容器本体１２の長手方向の一端に設けられている。吐出口１４は、容器本体１２内の酸素ガスを吐出するための開口である。
【００２７】
減圧弁Ｖは、酸素ボンベ１０から吐出された酸素を減圧させる。減圧弁Ｖは、酸素ボンベ１０から吐出された酸素を、たとえば１ＭＰａ未満に減圧する。減圧弁Ｖは、吐出口１４に接続される。減圧弁Ｖは、第１ポート６１と、第２ポート６２とを有する。第１ポート６１は、減圧弁Ｖが吐出口１４に接続された状態において、容器本体１２の長手方向と直交する方向に開口している。第２ポート６２は、減圧弁Ｖが吐出口１４に接続された状態において、容器本体１２の長手方向と平行な方向（図１の上向き）に開口している。第１ポート６１および第２ポート６２から、減圧された酸素ガスが流出する。
【００２８】
図３は、分岐具の断面図である。図２および図３に示されるように、分岐具２０は、減圧弁Ｖから流出した酸素ガスを複数の流路に分岐させる。
【００２９】
分岐具２０は、分岐具本体２２と、上流側継手２４と、複数の（本実施形態では４つの）下流側継手２６と、閉塞部材２８とを有する。
【００３０】
分岐具本体２２は、筒状に形成されている。本実施形態では、分岐具本体２２のその軸方向と直交する断面における外形は、六角形に形成されている。分岐具本体２２は、たとえば真鍮からなる。分岐具本体２２は、上流側ポート２２ａと、複数の（本実施形態では４つの）下流側ポート２２ｂと、接続用ポート２２ｃとを有している。
【００３１】
上流側ポート２２ａは、減圧弁Ｖから流出した酸素ガスを分岐具本体２２内に流入させるための開口である。上流側ポート２２ａは、分岐具本体２２の軸方向の一端部に形成されている。
【００３２】
各下流側ポート２２ｂは、上流側ポート２２ａから分岐具本体２２内に流入した酸素ガスを分岐具本体２２外に吐出するための開口である。つまり、上流側ポート２２ａから各下流側ポート２２ｂに至るそれぞれの流路が、上記の複数の流路に相当する。複数の下流側ポート２２ｂは、一方向に沿って互いに所定の間隔を置いて設けられている。具体的に、複数の下流側ポート２２ｂは、分岐具本体２２の軸方向に沿って互いに所定の間隔を置いて設けられている。本実施形態では、複数の下流側ポート２２ｂは、等間隔に並んでいる。複数の下流側ポート２２ｂは、分岐具本体２２の６つの外側面のうちの一側面に設けられている。
【００３３】
接続用ポート２２ｃは、分岐具本体２２の軸方向の他端部に形成されている。接続用ポート２２ｃは、分岐具本体２２に対し、当該分岐具本体２２とは異なる他の分岐具本体を接続するための開口である。
【００３４】
上流側継手２４は、上流側ポート２２ａに接続されている。具体的に、上流側継手２４は、雄ねじ部を有しており、この雄ねじ部が上流側ポート２２ａにねじ込まれている。
【００３５】
各下流側継手２６は、下流側ポート２２ｂに接続されている。具体的に、各下流側継手２６は、雄ねじ部を有しており、この雄ねじ部が下流側ポート２２ｂにねじ込まれている。各下流側継手２６は、下流側継手２６に対して当該下流側継手２６と対応する継手が接続されていない状態では、分岐具本体２２内の酸素ガスの下流側継手２６を通じた流出を閉止するように構成されている。
【００３６】
閉塞部材２８は、接続用ポート２２ｃに接続されている。具体的に、閉塞部材２８は、雄ねじ部を有しており、この雄ねじ部が接続用ポート２２ｃにねじ込まれている。この状態において、閉塞部材２８は、接続用ポート２２ｃを閉塞している。なお、分岐具本体２２に対し、当該分岐具本体２２とは異なる他の分岐具本体を接続する際は、分岐具本体２２から閉塞部材２８が取り外され、接続用ポート２２ｃに対し、他の分岐具本体の上流側ポートが接続される。
【００３７】
なお、分岐具２０の構造は、減圧弁Ｖからの酸素ガスを複数の流路に分岐させることが可能なものであれば、特に限定されない。たとえば、分岐具２０は、六角形以外の多角形（たとえば、四角形）断面の筒体からなる分岐具本体２２を有してもよい。複数の下流側ポート２２ｂは、一列に限られず、複数列に渡って設けられてもよいし、分岐具本体２２の複数の外側面のうちの互いに異なる外側面に設けられてもよい。
【００３８】
中間チューブ３０は、減圧弁Ｖの第１ポート６１および上流側継手２４に接続される。中間チューブ３０の一端には、第１ポート６１に対して着脱自在に接続可能な継手３０ａが接続されている。中間チューブ３０の他端には、上流側継手２４に対して着脱自在に接続可能な継手３０ｂが接続されている。
【００３９】
複数のチューブ３１，３２は、複数の第１チューブ３１と、第２チューブ３２とを有する。なお、図１および図２では、第１チューブ３１は、１本のみ示されている。
【００４０】
各第１チューブ３１は、下流側継手２６およびマスク４０に接続される。第１チューブ３１の一端には、下流側継手２６に対して着脱自在に接続可能な継手３１ａが接続されている。この継手３１ａおよび下流側継手２６は、たとえばカプラからなる。第１チューブ３１の他端には、マスク４０に対して着脱自在に接続可能な継手３１ｂが接続されている。
【００４１】
第２チューブ３２は、減圧弁Ｖの第２ポート６２およびマスク４０に接続される。第２チューブ３２の一端には、第２ポート６２に対して着脱自在に接続可能な継手３２ａが接続されている。第２チューブ３２の他端には、マスク４０に対して着脱自在に接続可能な継手３２ｂが接続されている。
【００４２】
各マスク４０は、鼻および口を覆う形状を有する。各マスク４０は、当該マスク４０が使用者の顔面に宛がわれた状態において、使用者の呼吸量に応じた分だけ酸素ボンベ１０内の酸素ガスがマスク４０内に供給されるように構成されている。つまり、各マスク４０は、いわゆるデマンド形に構成されている。
【００４３】
各マスク４０は、押しボタン４１５を有している。各マスク４０は、押しボタン４１５が押圧されている間に、酸素ボンベ１０内の酸素ガスがマスク４０の主空間Ｓ１内に供給される一方、押しボタン４１５の押圧が解除されたときに、酸素ボンベ１０内の酸素ガスのマスク４０内への供給が遮断されるように構成されている。この押しボタン４１５を有する構成および上記のデマンド形の構成について、以下、図４〜図６を参照しながら説明する。図４は、押しボタンが押されていない状態におけるマスクの断面図である。図５は、押しボタンが押された状態におけるマスクの断面図である。図６は、図５中の２点鎖線ＶＩで囲まれた範囲の拡大図である。
【００４４】
図４〜図６に示されるように、各マスク４０は、押しボタン４１５を含むマスク本体４１０と、ダイヤフラム４１８と、押圧部４２０と、継手４３０と、切替部材４４０と、付勢部材４５０とを有する。
【００４５】
マスク本体４１０は、基部４１１と、接顔部４１２と、蓋部４１３とを有する。
基部４１１は、筒状に形成されている。
【００４６】
接顔部４１２は、基部４１１の一端側に接続されている。接顔部４１２は、使用者の顔面を部分的に覆った状態（当該接顔部４１２の縁部が使用者の顔面の鼻および口の周りの部位に接した状態）において、顔面と接顔部４１２との間に空間を形成する形状を有する。接顔部４１２は、使用者の顔面に密着する弾性材料（ゴムなど）からなる。
【００４７】
蓋部４１３は、基部４１１の他端側に接続されている。蓋部４１３の詳細については、後述する。
【００４８】
ダイヤフラム４１８は、基部４１１および接顔部４１２内の空間（以下、「主空間Ｓ１」という。）を蓋体４１３内の空間（以下、「副空間Ｓ２」という）から遮断する。ダイヤフラム４１８の縁部は、基部４１１と蓋部４１３とにより挟持されている。ダイヤフラム４１８は、主空間Ｓ１の圧力が副空間Ｓ２の圧力よりも小さくなったときに、主空間Ｓ１側に変位する。
【００４９】
押圧部４２０は、ダイヤフラム４１８に接続されている。具体的に、押圧部４２０は、ダイヤフラム４１８のうち主空間Ｓ１に接する面側に接続されている。押圧部４２０は、ダイヤフラム４１８とともに主空間Ｓ１側または副空間Ｓ２側に変位する。
【００５０】
継手４３０は、基部４１１に接続されている。継手４３０は、基部４１１に接続された状態において、継手４３０内と主空間Ｓ１とを連通させるための開口を有している。継手４３０は、その開口を包囲する弁座４３２を有している。継手４３０のうち基部４１１に接続される側とは反対側の端部には、第１チューブ３１の他端に接続された継手３１ｂまたは第２チューブ３２の他端に接続された継手３２ｂが接続される。
【００５１】
切替部材４４０は、酸素ボンベ１０内の酸素ガスがマスク本体４１０の主空間Ｓ１内に供給される供給状態と、酸素ボンベ１０内の酸素ガスのマスク本体４１０の主空間Ｓ１内への供給が遮断される遮断状態と、を切り替える部材である。切替部材４４０は、継手４３０に保持されている。切替部材４４０は、切替体４４２と、被押圧部４４４と、連結部４４６とを有する。
【００５２】
切替体４４２は、継手４３０内に位置している。切替体４４２は、弁座４３２内の開口を閉塞する形状を有する。切替体４４２が弁座４３２内の開口を塞ぐ姿勢に保持されることにより、切替部材４４０が遮断状態となる。一方、切替体４４２が弁座４３２内の開口を解放する姿勢に保持されることにより、切替部材４４０が供給状態となる。
【００５３】
被押圧部４４４は、押圧部４２０による押圧を受ける部位である。被押圧部４４４は、押圧部４２０に接する、あるいは、近接位置にある。
【００５４】
連結部４４６は、切替体４４２と被押圧部４４４とを連結している。このため、被押圧部４４４が押圧部４２０に押圧されると、連結部４４６を介して被押圧部４４４に接続されている切替体４４２の姿勢が変化する。被押圧部４４４が押圧部４２０による押圧を受けていない状態では、切替体４４２は、弁座４３２の開口を閉塞する姿勢、つまり、遮断状態となる。一方、被押圧部４４４が押圧部４２０による押圧を受けている状態では、切替体４４２は、弁座４３２の開口を解放する姿勢、つまり、供給状態となる。
【００５５】
付勢部材４５０は、継手４３０と切替部材４４０との間に設けられている。付勢部材４５０は、切替体４４２が弁座４３２内の開口を閉塞する姿勢に維持されるように、切替部材４４０を付勢している。本実施形態では、付勢部材４５０は、コイルばねからなる。付勢部材４５０は、圧縮された状態で継手４３０と連結部４４６との間に設けられている。
【００５６】
ここで、蓋部４１３について説明する。蓋部４１３は、ボタン保持部４１４と、上記の押しボタン４１５とを有する。
【００５７】
ボタン保持部４１４は、筒状に形成されている。このボタン保持部４１４と基部４１１とによってダイヤフラム４１８の縁部が挟持されている。ボタン保持部４１４のうち押圧部４２０と対向する部位には、押しボタン４１５の挿通を許容する開口が設けられている。ボタン保持部４１４のうち上記の開口から離間した部位には、副空間Ｓ２を外部に連通させるための貫通孔が設けられている。
【００５８】
押しボタン４１５は、ボタン保持部４１４に保持されている。押しボタン４１５は、ボタン保持部４１４の開口を閉塞している。押しボタン４１５は、ボタン保持部４１４に対してダイヤフラム４１８側に変位可能である。押しボタン４１５は、ダイヤフラム４１８および押圧部４２０を付勢部材４５０の付勢力に抗して主空間Ｓ１側へ押し込むことが可能である。
【００５９】
次に、このマスク４０の作用について説明する。
遮断状態において押しボタン４１５が押し込まれると、押圧部４２０が被押圧部４４４を押圧する。そうすると、図５および図６に示されるように、切替体４４２の一部が弁座４３２から離間する。このため、図６において矢印で示されるように、酸素ガスが主空間Ｓ１に供給される。この状態が供給状態である。一方、押しボタン４１５の押し込みが解除されると、付勢部材４５０およびダイヤフラム４１８の弾性復帰力によって、押圧部４２０が被押圧部４４４を押圧しない位置に変位する。そうすると、切替体４４２が弁座４３２の開口を閉塞する姿勢となる。この状態が遮断状態である。このように、マスク４０では、押しボタン４１５が押圧されている間、酸素ボンベ１０内の酸素ガスがマスク４０内に供給され、一方、押しボタン４１５の押圧が解除されたとき、酸素ボンベ１０内の酸素ガスのマスク４０内への供給が遮断される。
【００６０】
接顔部４１２が使用者の顔面に接触した状態で使用者が吸入すると、主空間Ｓ１の圧力が副空間Ｓ２の圧力よりも小さくなるため、押しボタン４１５が押圧されたときと同様に、ダイヤフラム４１８が主空間Ｓ１側へ変位することによって押圧部４２０が被押圧部４４４を押圧する。このため、切替体４４２の一部が弁座４３２から離間する。よって、酸素ガスが主空間Ｓ１に供給される。一方、使用者が吸入を停止すると、主空間Ｓ１の圧力が副空間Ｓ２の圧力とほぼ等しくなるため、付勢部材４５０およびダイヤフラム４１８の弾性復帰力によって、押圧部４２０が被押圧部４４４を押圧しない位置に変位する。よって、主空間Ｓ１への酸素の供給が遮断される。
【００６１】
移動部５０は、酸素ボンベ１０および分岐具２０を搭載可能である。移動部５０は、酸素ボンベ１０および分岐具２０を搭載した状態で移動可能である。本実施形態では、移動部５０として、台車（以下、「台車５０」と表記する。）が例示されている。台車５０は、酸素ボンベ１０の吐出口１４が上部に位置する姿勢で酸素ボンベ１０を支持可能である。具体的に、台車５０は、台板５２と、ローラー５４と、取っ手５６と、支持部材５８とを有する。
【００６２】
台板５２は、酸素ボンベ１０を下方から支持する。本実施形態では、台板５２は、酸素ボンベ１０および分岐具２０を下方から支持する。台板５２は、矩形状に形成されている。台板５２は、酸素ボンベ１０の長手方向が鉛直方向とほぼ平行となる姿勢で酸素ボンベ１０の下部を支持している。台板５２は、分岐具２０の軸方向が台板５２と平行となる姿勢で分岐具２０を支持している。
【００６３】
ローラー５４は、台板５２の下面に接続されている。
取っ手５６は、台板５２から上方に延びる形状を有している。取っ手５６の下端部は、台板５２のうち、酸素ボンベ１０を支持する部位と分岐具２０を支持する部位との間の部位に接続されている。
【００６４】
支持部材５８は、酸素ボンベ１０の長手方向が鉛直方向とほぼ平行となるように、酸素ボンベ１０を支持する。支持部材５８は、支持板５８ａと、ベルト５８ｂとを有する。
【００６５】
支持板５８ａは、台板５２から起立するとともに、容器本体１２の周囲の一部を包囲する形状を有する。支持板５８ａは、酸素ボンベ１０と取っ手５６との間に設けられている。支持板５８ａの下端部は、台板５２に固定されている。
【００６６】
ベルト５８ｂは、容器本体１２を支持板５８ａに向けて押し付ける。ベルト５８ｂの両端部は、支持板５８ａに固定されている。
【００６７】
以上に説明した本実施形態の酸素供給器１では、容器本体１２に収容された高圧状態の酸素ガスは、減圧弁Ｖで所定の圧力に減圧され、中間チューブ３０を通じて分岐具２０に流入する。そして、分岐具２０に流入した酸素ガスは、そこで複数の流路（下流側ポート２２ｂ）に分岐される。このため、各下流側ポート２２ｂに接続された下流側継手２６に複数の第１チューブ３１、第２チューブ３２およびマスク４０を接続することにより、複数人が同時に酸素ガスを吸入することが可能となる。よって、たとえば複数人で行われるスポーツの後、複数人で同時に酸素を吸入することができる。
【００６８】
この実施形態では、４つの下流側継手２６および減圧弁Ｖの第２ポート６２を利用することができるので、５名まで同時に酸素を吸入することが可能である。ただし、閉塞部材２８を外し、接続用ポート２２ｃに対して、他の分岐具本体の上流側ポートを接続することにより、同時に使用できる人数を増やすことができる。同時に使用可能な人数は、減圧弁Ｖの容量や全使用者の呼吸のピーク量等を踏まえて決定される。
【００６９】
たとえば、小型のスプレータイプ（プッシュ部を押圧している間だけスプレー容器から酸素ガスが噴出されるタイプ）の酸素吸入器も知られているが、複数人が同時に酸素を吸入する場合、使用する人数分だけその酸素吸入器を用意する必要がある。
【００７０】
これに対し、本実施形態の酸素供給器１では、単一の酸素ボンベ１０および減圧弁Ｖを備えるだけで複数人に同時に酸素を供給することができる。また、本酸素供給器１では、酸素ボンベ１０が酸素ガスを高圧状態で収容することによって、大容量の酸素ガスをコンパクトに収容することと、その高圧状態の酸素ガスを減圧弁Ｖで減圧することによって、使用者が適切に酸素ガスを吸入することとを両立することができる。しかも、本実施形態の酸素供給器１は、小型のスプレータイプの酸素吸入器よりも長時間の使用が可能であり、さらに、容器本体１２に酸素ガスを再充填することによって繰り返し使用することもできる。
【００７１】
また、マスク４０は、いわゆるデマンド形で構成されているため、すなわち、使用者の呼吸量に応じた分（使用者が吸入した分）だけマスク４０内に酸素ガスが供給されるため、酸素ボンベ１０内の酸素ガスを余分に消費することを抑制できる。
【００７２】
また、マスク４０は、押しボタン４１５を押している間だけマスク４０内に酸素ガスが供給される構成である。このため、従来の小型のスプレータイプの酸素吸入器の使用法とほぼ同じ操作でマスク４０内に酸素ガスを供給することができる。よって、使用者は、ほとんど違和感を感じることなく酸素を吸入することができる。このように、本実施形態のマスク４０は、デマンド形の構成と押しボタン４１５を有する構成とを兼ね備えているため、ニーズに応じた使用方法が可能である。
【００７３】
また、酸素供給器１は、台車５０を備えているため、グランドなどの広い場所で酸素ボンベ１０を容易に移動させることができる。このため、酸素供給器１の利便性が向上する。
【００７４】
また、台車５０は、酸素ボンベ１０の吐出口１４が上部に位置する姿勢で容器本体１２を支持する支持部材５８を有している。このため、吐出口１４に接続された減圧弁Ｖの操作等が容易となる。
【００７５】
また、分岐具２０は、台車５０の台板５２に設置されている。このため、酸素供給器１の重心の位置が高くなることが抑制されるため、台車５０の転倒が抑制される。
【００７６】
なお、分岐具２０は、台板５２以外の箇所に設置されてもよい。たとえば、分岐具２０は、高さ方向における減圧弁Ｖと台板５２との間の位置に設置されてもよい。この場合、分岐具２０は、たとえば、支持板５８ａに設置される。さらに、分岐具２０は、支持板５８ａのうち、減圧弁Ｖ寄りの部位に設置されてもよいし、台板５２寄りの部位に設置されてもよい。また、各下流側ポート２２ｂが鉛直方向に沿って並ぶ姿勢で分岐具２０が支持板５８ａに固定されてもよい。あるいは、分岐具２０は、減圧弁Ｖよりも高い位置に設置されてもよい。この場合、分岐具２０は、たとえば、取っ手５６のうち減圧弁Ｖよりも高くに位置する部位に固定される。
【００７７】
なお、分岐具２０と台車５０とにより、酸素供給用ユニットを構成してもよい。この場合、台車５０に酸素ボンベ１０を搭載するとともに、分岐具２０に複数のマスク４０を接続することにより、複数人が同時に酸素ボンベ１０内の酸素を吸入することが可能となる。
【００７８】
また、移動部５０は、酸素ボンベ１０および分岐具２０を搭載（収容）可能で、かつ、人が背負うことのできる背負具であってもよい。あるいは、酸素ボンベ１０が小型である場合、移動部５０は、台車５０からローラー５４が省略されて手で持ち運びできるものとされてもよい。
【００７９】
なお、今回開示された実施形態はすべての点で例示であって、制限的なものではないと考えられるべきである。本発明の範囲は、上記した実施形態の説明ではなく特許請求の範囲によって示され、さらに特許請求の範囲と均等の意味および範囲内でのすべての変更が含まれる。
【産業上の利用可能性】
【００８０】
この発明は、酸素供給器および酸素供給用ユニットに適用される。
【符号の説明】
【００８１】
１  酸素供給器、１０  酸素ボンベ、１２  容器本体、１４  吐出口、２０  分岐具、２２  分岐具本体、２２ａ  上流側ポート、２２ｂ  下流側ポート、２４  上流側継手、２６  下流側継手、３０  中間チューブ、３１  第１チューブ、３２  第２チューブ、４０  マスク、５０  移動部（台車）、５２  台板、５４  ローラー、５６  取っ手、５８  支持部材、４１０  マスク本体、４１１  基部、４１２  接顔部、４１３  蓋部、４１４  ボタン保持部、４１５  押しボタン、４１８  ダイヤフラム、４２０  押圧部、４３０  継手、４３２  弁座、４４０  切替部材、４４２  切替体、４４４  被押圧部、４４６  連結部、４５０  付勢部材、Ｖ  減圧弁。
【図１】
2020000278.tif 000003
【図２】
2020000278.tif 000004
【図３】
2020000278.tif 000005
【図４】
2020000278.tif 000006
【図５】
2020000278.tif 000007
【図６】
2020000278.tif 000008
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
酸素ガスを高圧状態で収容する酸素ボンベと、
前記酸素ボンベから吐出された酸素ガスを減圧させる減圧弁と、
前記減圧弁から流出した酸素ガスを複数の流路に分岐させる分岐具と、
前記酸素ボンベおよび前記分岐具を搭載可能で、かつ、前記酸素ボンベおよび前記分岐具を搭載した状態で移動可能な移動部と、を備え、
前記移動部は、台車であり、
前記台車は、前記酸素ボンベを下方から支持する台板と、
前記台板から上方に延びる形状を有する取っ手と、を有し、
前記酸素ボンベは、一方向に長い形状を有し、前記酸素ボンベの長手方向の一端に、前記酸素ガスを吐出するための吐出口が設けられており、
前記減圧弁は、前記吐出口に接続されており、
前記台板は、前記吐出口が上部に位置する姿勢で前記酸素ボンベを支持しており、
前記分岐具は、前記台板のうち前記取っ手を基準として前記酸素ボンベが設置されている部位と反対側の部位に設置されている、酸素供給器。
【請求項２】
前記分岐具は、筒状に形成されており前記複数の流路を有する分器具本体を有し、
前記分器具本体は、当該分器具本体の軸方向が前記台板と平行となる姿勢で前記台板に設置されている、請求項１に記載の酸素供給器。
【請求項３】
それぞれが鼻および口を覆う形状を有する複数のマスクと、
各前記マスクと前記分岐具とを接続する複数のチューブとをさらに備え、
前記分岐具は、前記減圧弁に接続される上流側ポートと、前記上流側ポートから流入した酸素ガスを吐出するための複数の下流側ポートとを含み、
各前記チューブは、各前記下流側ポートに対して着脱可能に接続される、請求項１又は２に記載の酸素供給器。
【請求項４】
各前記マスクは、前記マスクが使用者の顔面に宛がわれた状態において、前記使用者の呼吸量に応じた分だけ前記酸素ボンベ内の酸素ガスが前記マスク内に供給されるように構成されている、請求項３に記載の酸素供給器。
【請求項５】
各前記マスクは、押圧可能な押しボタンを有し、前記押しボタンが押圧されている間に前記酸素ボンベ内の酸素ガスが前記マスク内に供給され、前記押しボタンの押圧が解除されたときに前記酸素ボンベ内の酸素ガスの前記マスク内への供給が遮断されるように構成されている、請求項３または４に記載の酸素供給器。